(57)【要約】  ＲＦインターフェースと、コア制御ユニットと、共通記憶インターフェースとを含むＲＦ識別装置であって、ＲＦインターフェースと共通記憶インターフェースとはそれぞれコア制御ユニットに接続され、コア制御ユニットは、共通記憶インターフェースまたはＲＦインターフェースを介して、予め設定された範囲内の他のＲＦ識別装置または携帯端末装置からのＲＦ識別指令を受取り、ＲＦ識別指令及び装置の現在の稼動状態に応じて、相応のＲＦ識別処理を行い、指令が稼動状態切替指令である場合に、装置の稼動状態の切り替えを行うために用いられ、当該稼動状態はＲＦタグ状態またはＲＦリーダ状態である。当該ＲＦインターフェースは、コア制御ユニットと、予め設定された範囲内の他のＲＦ識別装置との情報やり取りを実現するために用いられ、共通記憶インターフェースは、携帯端末装置と当該コア制御ユニットとの情報やり取りを実現するために用いられる。
2012529090.tif 000002
【特許請求の範囲】
【請求項１】
ＲＦインターフェースと、コア制御ユニットと、共通記憶インターフェースとを含み、
前記ＲＦインターフェース及び前記共通記憶インターフェースはそれぞれ前記コア制御ユニットに接続され、
前記コア制御ユニットは、前記共通記憶インターフェースまたはＲＦインターフェースを介して、予め設定された範囲内の他のＲＦ識別装置または携帯端末装置からのＲＦ識別指令を受取り、前記ＲＦ識別指令及び前記装置の現在の稼動状態に応じて、相応のＲＦ識別処理を行い、前記指令が稼動状態切替指令である場合に、前記装置の稼動状態を切り替えるために用いられ、
前記稼動状態はＲＦタグ状態またはＲＦリーダ状態であり、
前記ＲＦインターフェースは、前記コア制御ユニットと、予め設定された範囲内の他のＲＦ識別装置との情報やり取りを実現するために用いられ、
前記共通記憶インターフェースは、携帯端末装置と前記コア制御ユニットとの情報やり取りを実現するために用いられることを特徴とするＲＦ識別装置。
【請求項２】
前記コア制御ユニットは、記憶制御ユニットと、記憶ユニットと、ＲＦ制御ユニットとを含み、
前記記憶制御ユニットは、前記共通記憶インターフェースからのＲＦ識別指令を受取り、前記ＲＦ識別指令がＲＦ制御指令である場合に、前記ＲＦ制御指令を解析して前記ＲＦ制御ユニットに送信し、前記ＲＦ識別指令がＲＦセキュリティ識別指令である場合に、前記ＲＦセキュリティ識別指令を解析してセキュリティ処理を行い、前記セキュリティ処理結果をＲＦ制御ユニットまたは記憶ユニットに送信し、または共通記憶インターフェースを介して前記携帯端末装置に送信するために用いられ、前記ＲＦ制御ユニットからのＲＦセキュリティ識別指令を受取って解析して、セキュリティ処理を行い、前記セキュリティ処理の結果をＲＦ制御ユニットまたは記憶ユニットに送信し、または共通記憶インターフェースを介して前記携帯端末装置に送信するために用いられ、
前記ＲＦ制御ユニットは、前記記憶制御ユニットにより送信された前記ＲＦ制御指令を実行し、前記ＲＦ制御指令が稼動状態切替指令である場合に、前記切替指令に従って前記装置の稼動状態を設定するために用いられ、前記ＲＦインターフェースにより送信された、予め設定された範囲内の他のＲＦ識別装置からのＲＦセキュリティ識別指令を前記記憶制御ユニットに送信し、前記記憶制御ユニットによりフィードバックされた前記セキュリティ処理結果を前記ＲＦインターフェースを介して、前記セキュリティ処理結果が対応する予め設定された範囲内の他のＲＦ識別装置に送信するために用いられ、
記憶ユニットは、前記記憶制御ユニットに前記記憶制御ユニットの実行時に必要なデータを提供し、または相応の実行結果を記憶するために用いられることを特徴とする請求項１に記載の装置。
【請求項３】
前記記憶制御ユニットは、さらに、前記共通記憶インターフェースからのデータアクセス指令を受取って実行し、前記共通記憶インターフェースからのセキュリティ処理指令を受取り、解析されたセキュリティ処理指令に対してセキュリティ処理を行い、前記セキュリティ処理の結果を共通記憶インターフェースを介して前記携帯端末装置にフィードバックするために用いられることを特徴とする請求項２に記載の装置。
【請求項４】
前記コア制御ユニットは、記憶制御ユニットと、記憶ユニットと、ＲＦ制御ユニットと、セキュリティ処理ユニットとを含み、
前記記憶制御ユニットは、前記共通記憶インターフェースからのＲＦ識別指令を受取り、前記ＲＦ識別指令がＲＦ制御指令である場合に、前記ＲＦ制御指令を解析して前記ＲＦ制御ユニットに送信し、前記ＲＦ識別指令がＲＦセキュリティ識別指令である場合に、前記ＲＦセキュリティ識別指令を解析してから、セキュリティ処理を行うようにセキュリティ処理ユニットに送信し、前記セキュリティ処理結果をＲＦ制御ユニットまたは記憶ユニットに送信し、または共通記憶インターフェースを介して前記携帯端末装置に送信するために用いられ、前記ＲＦ制御ユニットからのＲＦセキュリティ識別指令を受取って解析して、セキュリティ処理を行うようにセキュリティ処理ユニットに送信し、前記セキュリティ処理の結果をＲＦ制御ユニットまたは記憶ユニットに送信し、または共通記憶インターフェースを介して前記携帯端末装置に送信するために用いられ、
前記ＲＦ制御ユニットは、前記記憶制御ユニットにより送信された前記ＲＦ制御指令を実行し、前記ＲＦ制御指令が稼動状態切替指令である場合に、前記切替指令に従って前記装置の稼動状態を設定するために用いられ、前記ＲＦインターフェースにより送信された、予め設定された範囲内の他のＲＦ識別装置からのＲＦセキュリティ識別指令を前記記憶制御ユニットに送信し、前記記憶制御ユニットによりフィードバックされた前記セキュリティ処理の結果を前記ＲＦインターフェースを介して、前記セキュリティ処理結果が対応する予め設定された範囲内の他のＲＦ識別装置に送信するために用いられ、
前記セキュリティ処理ユニットは、前記記憶制御ユニットから送信された指令に対してセキュリティ処理を行い、その結果を前記記憶制御ユニットにフィードバックするために用いられ、
記憶ユニットは、前記記憶制御ユニットに前記記憶制御ユニットの実行時に必要なデータを提供し、または相応の実行結果を記憶するために用いられることを特徴とする請求項１に記載の装置。
【請求項５】
前記コア制御ユニットは、記憶制御ユニットと、記憶ユニットと、ＲＦ制御ユニットと、セキュリティ処理ユニットとを含み、
前記記憶制御ユニットは、前記共通記憶インターフェースからのＲＦ識別指令を受取り、前記ＲＦ識別指令がＲＦ制御指令である場合に、前記ＲＦ制御指令を解析して前記セキュリティ処理ユニットに送信し、前記ＲＦ識別指令がＲＦセキュリティ識別指令である場合に、前記ＲＦセキュリティ識別指令を解析してから、セキュリティ処理を行うようにセキュリティ処理ユニットに送信するために用いられ、前記セキュリティ処理ユニットからの前記セキュリティ処理結果を記憶ユニットに送信し、または共通記憶インターフェースを介して前記携帯端末装置に送信するために用いられ、
前記ＲＦ制御ユニットは、前記セキュリティ処理ユニットにより転送されたＲＦ制御指令を実行し、前記ＲＦ制御指令が稼動状態切替指令である場合に、前記切替指令に従って前記装置の稼動状態を設定するために用いられ、前記ＲＦインターフェースにより送信された、予め設定された範囲内の他のＲＦ識別装置からのＲＦセキュリティ識別指令を前記セキュリティ処理ユニットに送信し、前記セキュリティ処理ユニットにより送信されたセキュリティ処理結果を前記ＲＦインターフェースを介して、前記セキュリティ処理結果が対応する予め設定された範囲内の他のＲＦ識別装置に送信するために用いられ、
前記セキュリティ処理ユニットは、前記記憶制御ユニット又は前記ＲＦ制御ユニットから送信されたＲＦセキュリティ識別指令に対してセキュリティ処理を行い、セキュリティ処理結果を前記記憶制御ユニット又はＲＦ制御ユニットに送信し、前記記憶制御ユニットから送信されたＲＦ制御指令を前記ＲＦ制御ユニットに転送するために用いられ、
記憶ユニットは、前記記憶制御ユニットに前記記憶制御ユニットの実行時に必要なデータを提供し、または相応の実行結果を記憶するために用いられることを特徴とする請求項１に記載の装置。
【請求項６】
前記記憶制御ユニットは、さらに、前記共通記憶インターフェースからのデータアクセス指令を受取って実行し、前記共通記憶インターフェースからのセキュリティ処理指令を受取り、解析されたセキュリティ処理指令をセキュリティ処理を行うようにセキュリティ処理ユニットに送信し、前記セキュリティ処理結果を前記共通記憶インターフェースを介して前記携帯端末装置にフィードバックするために用いられることを特徴とする請求項４または５に記載の装置。
【請求項７】
前記共通記憶インターフェースは、接触型集積回路カードの国際規格（ＩＳＯ７８１６）インターフェース、マルチメディアカード（ＭＭＣ）インターフェース、セキュリティデジタルメモリカード（ＳＤ）インターフェース、データ圧縮フラッシュカード（ｃｏｍｐａｃｔ  Ｆｌａｓｈ  ｃａｒｄ，ＣＦ）インターフェース、スマートメディアカード（ＳＭ）インターフェース、またはユニバーサルシリアルバス（ＵＳＢ）インターフェースであることを特徴とする請求項１に記載の装置。
【請求項８】
前記ＲＦインターフェースは１４４４３インターフェースまたは超高周波インターフェースであることを特徴とする請求項１に記載の装置。
【発明の詳細な説明】
【技術分野】
【０００１】
本発明はＲＦ（無線周波数）技術に関し、特に、ＲＦ識別装置及び方法に関する。
【背景技術】
【０００２】
現在、ＲＦ識別（ＲＦＩＤ）技術は、広く応用され、電子財布や各種のチケットに応用されることができ、安全且つ便利というメリットがある。また、物体の身分の識別にも応用され、偽造防止の目的を達成することができる。更に、商標の代わりに、商標及び商標以外の各種の情報を提供することもできる。既存のＲＦ識別技術は、ＲＦタグとＲＦリーダとの二つの部分によって実現される必要がある。なお、ＲＦリーダは、ＲＦＩＤリーダチップ、アンテナ、マイクロプロセッサ、ディスプレイ、メモリ、キー、ハウジング及び電源などからなり、コストが高くて、一般的に会社または専門のサービス機構のみに配置され、多数の消費者に普及することができない。これは、ＲＦ識別技術の応用の普及を阻害する。
【０００３】
ＲＦ識別技術の応用をさらに普及するために、幾つかの技術案には、ＲＦ識別技術と既存の通信機能のみを備える携帯電話とを統合し、携帯電話の高普及率を利用して、多数の消費者がＲＦＩＤのＲＦタグとＲＦリーダとを携帯可能になるようにすることが提案された。これにより、随時随所に電子財布や各種のチケットの使用、製品の真偽の検証、及び製品の各種の関係情報の調べなどができる。
【０００４】
従来、ＲＦＩＤ技術と携帯電話とを統合する実現方案は二種がある。一種の方案は、携帯電話自身を改造し、携帯電話にＲＦ識別の機能を具備させる。例えば、中国特許出願２００６２０１３３５４４．６号には、モバイル通信端末に使用されるＳＩＭカードＲＦアンテナ装置が開示されており、ＲＦアンテナと、ＲＦアンテナ部品と、フレキシブル接続部品とを備える。前記ＲＦアンテナ部品は、前記ＲＦアンテナを載置し、且つ前記ＲＦアンテナをモバイル端末電池の外側に固定するために用いられる。前記フレキシブル接続部品は、前記ＲＦアンテナを、モバイル通信端末電池の内側に位置するＳＩＭカードに接続させるために用いられ、通信機能を実現することを前提として、幾つかのユーザが新たな携帯電話の交換、または専用の携帯電話の後カーバのあつらえを必要せず、少しのコストを増やすだけで、モバイル通信端末で非通信機能を実現するように用いられる。当該特許の技術は、モバイル通信端末を改造する必要があり、ユーザの携帯電話ごとにアンテナとフレキシブル接続部品とをあつらえる必要がある。しかしながら、ＲＦアンテナとフレキシブル接続部品とをモバイル通信端末に埋め込む過程が複雑で、実現が難しく、当該方法を採用するコストが高すぎる。これらの問題は、当該方法の迅速普及及び使用に大きい影響を与えることがある。また、当該解決方案は、携帯電話の内部構造に大きく制限され、通用性を具備しない。
【０００５】
他の方案は、メモリカード内にＲＦモジュールを埋め込むことによって実現されたものである。例えば、中国特許出願２００５１０１００７６２．Ｘ号には、ＲＦモジュールが埋め込まれたメモリカード構造が開示された。当該ＲＦモジュールは、ＲＦリーダであっても良く、ＲＦタグであってもよい。当該方案は、従来の携帯電話を改造する必要がないため、前記方案における高コスト、通用性が悪いという問題を克服することができる。しかし、カード内に集積された機能が有限であり、そのうちの一種の形態のみが選択可能、即ち、ＲＦリーダの形態か、それともＲＦタグの形態かを選択可能となり、この両者の形態が同時に存在することができないため、一枚のメモリカードで二種の機能を実現することができない。これにより、ユーザがＲＦタグ機能とＲＦリーダ機能との両方を希望する場合は、別のＲＦリーダ機能モジュールまたはＲＦタグ機能モジュールが埋め込まれたメモリカードを同時に持たなければならないため、ユーザの使用が不便となり、応用の普及に寄与しない。
【０００６】
上記により、ＲＦＩＤ技術と携帯電話とを統合する従来の技術案は、コストが高く、応用の普及に寄与しない等の問題が存在することが分かる。
【先行技術文献】
【特許文献】
【０００７】
【特許文献１】中国特許出願２００６２０１３３５４４．６号
【特許文献２】中国特許出願２００５１０１００７６２．Ｘ号
【発明の概要】
【発明が解決しようとする課題】
【０００８】
上記の事情を鑑み、本発明は、ＲＦタグとＲＦリーダとの二種の機能を統合可能、既存の携帯端末装置と結合し易いＲＦ識別装置及び方法を提供することを主要な目的とする。
【課題を解決するための手段】
【０００９】
上記の目的を達成するために、本発明が提案した技術案は以下の通りである。
【００１０】
ＲＦインターフェースと、コア制御ユニットと、共通記憶インターフェースとを含むＲＦ識別装置である。前記ＲＦインターフェース及び前記共通記憶インターフェースはそれぞれ前記コア制御ユニットに接続される。
【００１１】
前記コア制御ユニットは、前記共通記憶インターフェースまたはＲＦインターフェースを介して、予め設定された範囲内の他のＲＦ識別装置または携帯端末装置からのＲＦ識別指令を受取り、前記ＲＦ識別指令及び前記装置の現在の稼動状態に応じて、相応のＲＦ識別処理を行い、前記指令が稼動状態切替指令である場合に、前記装置の稼動状態を切り替えるために用いられ、前記稼動状態はＲＦタグ状態またはＲＦリーダ状態である。
【００１２】
前記ＲＦインターフェースは、前記コア制御ユニットと、予め設定された範囲内の他のＲＦ識別装置との情報やり取りを実現するために用いられる。
【００１３】
前記共通記憶インターフェースは、携帯端末装置と前記コア制御ユニットとの情報やり取りを実現するために用いられる。
【００１４】
好ましくは、前記コア制御ユニットは、記憶制御ユニットと、記憶ユニットと、ＲＦ制御ユニットとを含む。
【００１５】
前記記憶制御ユニットは、前記共通記憶インターフェースからのＲＦ識別指令を受取り、前記ＲＦ識別指令がＲＦ制御指令である場合に、前記ＲＦ制御指令を解析して前記ＲＦ制御ユニットに送信し、前記ＲＦ識別指令がＲＦセキュリティ識別指令である場合に、前記ＲＦセキュリティ識別指令を解析してセキュリティ処理を行い、前記セキュリティ処理結果をＲＦ制御ユニットまたは記憶ユニットに送信し、または共通記憶インターフェースを介して前記携帯端末装置に送信するために用いられ、前記ＲＦ制御ユニットからのＲＦセキュリティ識別指令を受取って解析して、セキュリティ処理を行い、前記セキュリティ処理の結果をＲＦ制御ユニットまたは記憶ユニットに送信し、または共通記憶インターフェースを介して前記携帯端末装置に送信するために用いられる。
【００１６】
前記ＲＦ制御ユニットは、前記記憶制御ユニットにより送信された前記ＲＦ制御指令を実行し、前記ＲＦ制御指令が稼動状態切替指令である場合に、前記切替指令に従って前記装置の稼動状態を設定するために用いられ、前記ＲＦインターフェースにより送信された、予め設定された範囲内の他のＲＦ識別装置からのＲＦセキュリティ識別指令を前記記憶制御ユニットに送信し、前記記憶制御ユニットによりフィードバックされた前記セキュリティ処理結果を前記ＲＦインターフェースを介して、前記セキュリティ処理結果が対応する予め設定された範囲内の他のＲＦ識別装置に送信するために用いられる。
【００１７】
記憶ユニットは、前記記憶制御ユニットに前記記憶制御ユニットの実行時に必要なデータを提供し、または相応の実行結果を記憶するために用いられる。
【００１８】
好ましくは、前記記憶制御ユニットは、さらに、前記共通記憶インターフェースからのデータアクセス指令を受取って実行し、前記共通記憶インターフェースからのセキュリティ処理指令を受取り、解析されたセキュリティ処理指令に対してセキュリティ処理を行い、前記セキュリティ処理の結果を共通記憶インターフェースを介して前記携帯端末装置にフィードバックするために用いられる。
【００１９】
好ましくは、前記コア制御ユニットは、記憶制御ユニットと、記憶ユニットと、ＲＦ制御ユニットと、セキュリティ処理ユニットとを含む。
【００２０】
前記記憶制御ユニットは、前記共通記憶インターフェースからのＲＦ識別指令を受取り、前記ＲＦ識別指令がＲＦ制御指令である場合に、前記ＲＦ制御指令を解析して前記ＲＦ制御ユニットに送信し、前記ＲＦ識別指令がＲＦセキュリティ識別指令である場合に、前記ＲＦセキュリティ識別指令を解析してセキュリティ処理ユニットに送信してセキュリティ処理を行い、前記セキュリティ処理結果をＲＦ制御ユニットまたは記憶ユニットに送信し、または共通記憶インターフェースを介して前記携帯端末装置に送信するために用いられ、前記ＲＦ制御ユニットからのＲＦセキュリティ識別指令を受取って解析して、セキュリティ処理ユニットに送信してセキュリティ処理を行い、前記セキュリティ処理の結果をＲＦ制御ユニットまたは記憶ユニットに送信し、または共通記憶インターフェースを介して前記携帯端末装置に送信するために用いられる。
【００２１】
前記ＲＦ制御ユニットは、前記記憶制御ユニットにより送信された前記ＲＦ制御指令を実行し、前記ＲＦ制御指令が稼動状態切替指令である場合に、前記切替指令に従って前記装置の稼動状態を設定するために用いられ、前記ＲＦインターフェースにより送信された、予め設定された範囲内の他のＲＦ識別装置からのＲＦセキュリティ識別指令を前記記憶制御ユニットに送信し、前記記憶制御ユニットによりフィードバックされた前記セキュリティ処理の結果を前記ＲＦインターフェースを介して、前記セキュリティ処理結果が対応する予め設定された範囲内の他のＲＦ識別装置に送信するために用いられる。
【００２２】
前記セキュリティ処理ユニットは、前記記憶制御ユニットから送信された指令に対してセキュリティ処理を行い、その結果を前記記憶制御ユニットにフィードバックするために用いられる。
【００２３】
記憶ユニットは、前記記憶制御ユニットに前記記憶制御ユニットの実行時に必要なデータを提供し、または相応の実行結果を記憶するために用いられる。
【００２４】
好ましくは、前記コア制御ユニットは、記憶制御ユニットと、記憶ユニットと、ＲＦ制御ユニットと、セキュリティ処理ユニットとを含む。
【００２５】
前記記憶制御ユニットは、前記共通記憶インターフェースからのＲＦ識別指令を受取り、前記ＲＦ識別指令がＲＦ制御指令である場合に、前記ＲＦ制御指令を解析して前記セキュリティ処理ユニットに送信し、前記ＲＦ識別指令がＲＦセキュリティ識別指令である場合に、前記ＲＦセキュリティ識別指令を解析してセキュリティ処理ユニットに送信してセキュリティ処理を行うために用いられ、前記セキュリティ処理ユニットからの前記セキュリティ処理結果を記憶ユニットに送信し、または共通記憶インターフェースを介して前記携帯端末装置に送信するために用いられる。
【００２６】
前記ＲＦ制御ユニットは、前記セキュリティ処理ユニットにより転送されたＲＦ制御指令を実行し、前記ＲＦ制御指令が稼動状態切替指令である場合に、前記切替指令に従って前記装置の稼動状態を設定するために用いられ、前記ＲＦインターフェースにより送信された、予め設定された範囲内の他のＲＦ識別装置からのＲＦセキュリティ識別指令を前記セキュリティ処理ユニットに送信し、前記セキュリティ処理ユニットにより送信されたセキュリティ処理結果を前記ＲＦインターフェースを介して、前記セキュリティ処理結果が対応する予め設定された範囲内の他のＲＦ識別装置に送信するために用いられる。
【００２７】
前記セキュリティ処理ユニットは、前記記憶制御ユニット又は前記ＲＦ制御ユニットから送信されたＲＦセキュリティ識別指令に対してセキュリティ処理を行い、セキュリティ処理結果を前記記憶制御ユニット又はＲＦ制御ユニットに送信し、前記記憶制御ユニットから送信されたＲＦ制御指令を前記ＲＦ制御ユニットに転送するために用いられる。
【００２８】
記憶ユニットは、前記記憶制御ユニットに前記記憶制御ユニットの実行時に必要なデータを提供し、または相応の実行結果を記憶するために用いられる。
【００２９】
好ましくは、前記記憶制御ユニットは、さらに、前記共通記憶インターフェースからのデータアクセス指令を受取って実行し、前記共通記憶インターフェースからのセキュリティ処理指令を受取り、解析されたセキュリティ処理指令をセキュリティ処理ユニットに送信してセキュリティ処理を行い、前記セキュリティ処理結果を前記共通記憶インターフェースを介して前記携帯端末装置にフィードバックするために用いられる。
【００３０】
以上のように、本発明が提案したＲＦ識別装置は、ＲＦ制御ユニットを利用してＲＦリーダ状態とＲＦタグ状態との間の快速切替を制御することにより、同一のＲＦ識別装置にＲＦタグとＲＦリーダとの二種の機能を統合することができる。これにより、携帯装置端末と結合する時に、携帯装置端末のハードウェア構造を変更する必要がない、即ち、ＲＦ識別技術と既存の携帯端末装置との結合のコストの低減及びＲＦＩＤの普及に寄与する。
【図面の簡単な説明】
【００３１】
以下、当業者が本発明の上記及びその他の特徴及びメリットをより明確にするために、図面を参照して本発明の例示的な実施例について詳細に説明する。
【図１】本発明の構造を示す模式図である。
【図２】本発明の実施例１の構造を示す模式図である。
【図３】本発明の実施例２の構造を示す模式図である。
【図４】本発明の実施例３の構造を示す模式図である。
【発明を実施するための形態】
【００３２】
本発明の核心思想は以下の通りである。ＲＦ制御ユニットを設置してＲＦ識別装置の稼動状態を制御することにより、必要に応じて当該装置をＲＦタグとＲＦリーダとの二種の稼動状態の間で相応的に切り替え、ＲＦタグとＲＦリーダとの二種の機能を同一装置内に集積することが実現可能である。
【００３３】
本発明の目的、技術案及びメリットをより明確にするために、以下、図面を参照しながら例を挙げることによって本発明をさらに詳しく説明する。
【００３４】
図１は本発明の構造の模式図である。図１に示すように、本発明は、主に共通記憶インターフェース１０１と、コア制御ユニット１０２と、ＲＦインターフェース１０３とを含み、前記共通記憶インターフェース１０１及び前記ＲＦインターフェース１０３は、前記コア制御ユニット１０２に接続される。
【００３５】
前記コア制御ユニット１０２は、前記共通記憶インターフェース１０１またはＲＦインターフェース１０３を介して、予め設定された範囲内のその他のＲＦ識別装置または携帯端末装置からのＲＦ識別指令を受取り、前記ＲＦ識別指令と前記装置の現在の稼動状態に応じて相応のＲＦ識別処理を行い、前記指令が稼動状態切替指令である場合に、前記装置の稼動状態を切り替えるために用いられる。前記稼動状態はＲＦタグ状態またはＲＦリーダ状態である。
【００３６】
前記ＲＦ識別指令は、具体的には、ＲＦ制御命令またはＲＦセキュリティ識別命令であっても良い。なお、ＲＦ制御命令は、共通記憶インターフェースからの命令であり、ＲＦ制御ユニットを、状態の切替、ＲＦ接続の確立、ＲＦ接続の切断などのようなＲＦ制御操作を実行するように直接にコントロールするために用いられる。具体的に如何に前記ＲＦ制御操作を実行するかについては、当業者に知られているものであるため、ここでは重複する説明を省略する。ＲＦセキュリティ識別命令は、共通記憶インターフェースまたはＲＦインターフェースからの命令である。当該命令は解析されて相応のセキュリティ処理を実行し、処理結果は共通記憶インターフェースまたはＲＦインターフェースに返される。
【００３７】
本発明において、コア制御ユニット１０２が現在の稼動状態を設定することにより、前記装置は、ＲＦタグ状態で稼動してＲＦタグの機能を実行することができ、ＲＦリーダ状態で稼動してＲＦリーダの機能を実行することもできる。ここで、ある稼動状態においてＲＦ識別命令に従って相応のＲＦ識別処理を行う具体的な方法は、当業者にとって既に知られたものであるため、説明を省略する。
【００３８】
前記ＲＦインターフェース１０３は、前記コア制御ユニット１０２と予め設定された範囲内の他のＲＦ識別装置との間の情報やり取りを実現するために用いられる。即ち、前記ＲＦインターフェース１０３は、その他のＲＦ識別装置からの指令を受取ると、当該指令をコア制御ユニット１０２に転送し、前記ＲＦインターフェース１０３は、コア制御ユニット１０２からの指令を受取ると、当該指令をその他のＲＦ識別装置に転送する。
【００３９】
実際応用において、前記ＲＦインターフェースは１４４４３インターフェースまたは超高周波インターフェースであってもよい。
【００４０】
前記共通記憶インターフェース１０１は、携帯端末装置と前記コア制御ユニット１０２との間の情報やり取りを実現するために用いられる。即ち、前記共通記憶インターフェース１０１は携帯端末装置からの指令を受取ると、当該指令を前記コア制御ユニット１０２に転送し、前記共通記憶インターフェース１０１は前記コア制御ユニット１０２からの指令を受取ると、当該指令を携帯端末装置に転送する。
【００４１】
実際応用において、前記共通記憶インターフェースは、接触型集積回路カードの国際規格（ＩＳＯ７８１６）インターフェース、マルチメディアカード（ＭＭＣ）インターフェース、セキュリティデジタルメモリカード（ＳＤ）インターフェース、（ｃｏｍｐａｃｔ  Ｆｌａｓｈ  ｃａｒｄ，ＣＦ ）インターフェース、スマートメディアカード（ＳＭ）インターフェース、またはユニバーサルシリアルバス（ＵＳＢ）インターフェースであってもよい。上記のインターフェースにより、本発明のＲＦ識別装置はメモリカードの形式で実現されてもよいし、ＵＳＢフラッシュディスクの形式で実現されてもよい。
【００４２】
上記の技術案により、本発明は同一装置内でＲＦタグとＲＦリーダとの二種の機能を統合することが実現される。
【００４３】
図２は本発明の実施例１の構造の模式図である。図２に示すように、当該実施例においては、前記装置は、共通記憶インターフェース１０１と、コア制御ユニット１０２と、ＲＦインターフェース１０３とを含み、共通記憶インターフェース１０１及びコア制御ユニット１０２の作用は前記の説明と同じ、ここでは省略する。前記コア制御ユニット１０２は、記憶制御ユニット２０１と、記憶ユニット２０３とＲＦ制御ユニット２０２とを含む。
【００４４】
前記記憶制御ユニット２０１は、前記共通記憶インターフェース１０１からのＲＦ識別指令を受信し、前記ＲＦ識別指令がＲＦ制御指令である場合に、前記ＲＦ制御指令を解析して前記ＲＦ制御ユニット２０２に送信し、前記ＲＦ識別指令がＲＦセキュリティ識別指令である場合に、前記ＲＦセキュリティ識別指令を解析してセキュリティ処理を行い、前記セキュリティ処理結果をＲＦ制御ユニット２０２または記憶ユニット２０３に送信し、または共通記憶インターフェース１０１を介して前記携帯端末装置に送信するために用いられ、ＲＦ制御ユニット２０２からのＲＦセキュリティ識別指令を受取って解析してセキュリティ処理を行い、前記セキュリティ処理結果をＲＦ制御ユニット２０２または記憶ユニット２０３に送信し、または共通記憶インターフェース１０１を介して前記携帯端末装置に送信するために用いられる。
【００４５】
ここで、前記ＲＦセキュリティ識別指令に対してセキュリティ処理を行うことにより、本実施例のＲＦ識別装置のセキュリティ性を有効に向上することができる。本実施例において、前記記憶制御ユニット２０１の内部で行われた前記セキュリティ処理は、比較的に簡単なデータの暗号化または復号化処理、または身分認証等の簡単なセキュリティ処理方法であってもよい。具体的には、当業者は実際の必要に応じて決定することができるため、ここでは省略する。
【００４６】
前記ＲＦ制御ユニット２０２は、前記記憶制御ユニット２０１により送信された前記ＲＦ制御指令を実行し、且つ、前記ＲＦ制御指令が稼動状態切替指令である場合に、前記切替指令に従って前記装置の稼動状態を設定するために用いられ、前記ＲＦインターフェース１０３により送信された、予め設定された範囲内の他のＲＦ識別装置のＲＦセキュリティ識別指令を前記記憶制御ユニット２０１に送信し、前記記憶制御ユニット２０１によりフィードバックされた前記セキュリティ処理結果を、前記ＲＦインターフェース１０３を介して前記セキュリティ処理結果に対応する予め設定された範囲内のその他のＲＦ識別装置に送信するために用いられる。
【００４７】
記憶ユニット２０３は、前記記憶制御ユニット２０１に前記記憶制御ユニット２０１が実行する時に必要なデータを提供し、または相応の実行結果を記憶するために用いられる、実際応用において、記憶ユニットは、汎用の記憶媒体、例えば、ＥＥＰＲＯＭ，ＦＬＡＳＨなどを採用して実現されてもよい。
【００４８】
本実施例１の装置がそれと接続する携帯端末装置にデータアクセスの機能を提供するように、前記記憶制御ユニット２０１は、さらに、前記共通記憶インターフェース１０１からのデータアクセス指令を受取って実行し、前記共通記憶インターフェース１０１からのセキュリティ処理指令を受取り、解析されたセキュリティ処理指令に対してセキュリティ処理を行い、前記セキュリティ処理結果を共通記憶インターフェース１０１を介して前記携帯端末装置にフィードバックするために用いられても良い。
【００４９】
ここで、前記の前記データアクセス指令の実行は、具体的に、前記共通記憶インターフェース１０１からの指令を記憶ユニット２０３に記憶したり、記憶ユニット２０３のデータを読み出して共通記憶インターフェース１０１に返したりすることであっても良い。前記データは、取引情報や、個人情報などの携帯端末装置に記憶必要の情報であってもよい。
【００５０】
図３は本発明の実施例２の構造模式図である。当該実施例において、共通記憶インターフェース１０１及びコア制御ユニット１０２の作用は前記の説明と同じであり、ここではその説明を省略する。実施例１と異なるのは、当該実施例２において、前記ＲＦ識別装置におけるコア制御ユニット１０２は、記憶制御ユニット３０１と、記憶ユニット３０３と、ＲＦ制御ユニット３０２と、セキュリティ処理ユニット３０４とを含む。
【００５１】
前記記憶制御ユニット３０１は、前記共通記憶インターフェース１０１からのＲＦ識別指令を受取り、前記ＲＦ識別指令がＲＦ制御指令である場合に、前記ＲＦ制御指令を解析して前記ＲＦ制御ユニット３０２に送信し、前記ＲＦ識別指令がＲＦセキュリティ識別指令である場合に、前記ＲＦセキュリティ識別指令を解析してセキュリティ処理ユニット３０４に送信してセキュリティ処理し、前記セキュリティ処理結果を、ＲＦ制御ユニット３０２または記憶ユニット３０３に送信し、または共通記憶インターフェース１０１を介して前記携帯端末装置に送信するために用いられ、前記ＲＦ制御ユニット３０２からのＲＦセキュリティ識別指令を受取って解析して、セキュリティ処理ユニット３０４に送信してセキュリティ処理を行い、前記セキュリティ処理結果を、ＲＦ制御ユニット３０２または記憶ユニット３０３に送信し、または共通記憶インターフェース１０１を介して前記携帯端末装置に送信するために用いられる。
【００５２】
前記ＲＦ制御ユニット３０２は、前記記憶制御ユニット３０１により送信された前記ＲＦ制御指令を実行し、前記ＲＦ制御指令が稼動状態切替指令である場合に、前記切替指令に従って前記装置の稼動状態を設定するために用いられ、前記ＲＦインターフェース１０３により送信された、予め設定された範囲内の他のＲＦ識別装置からのＲＦセキュリティ識別指令を前記記憶制御ユニット３０１に送信し、前記記憶制御ユニット３０１によりフィードバックされた前記セキュリティ処理結果を、前記ＲＦインターフェース１０３を介して前記セキュリティ処理結果と対応した、予め設定された範囲内のその他のＲＦ識別装置に送信するために用いられる。
【００５３】
前記セキュリティ処理ユニット３０４は、前記記憶制御ユニット３０１により送信された指令に対してセキュリティ処理を行い、その結果を前記記憶制御ユニット３０１にフィードバックするために用いられる。
【００５４】
本実施例において、セキュリティ処理を行う専用のセキュリティ処理ユニット３０４を増加することによって、実施例２における前記記憶制御ユニット２０１の代わりに内部のセキュリティ処理を行う。当該セキュリティ処理ユニットは、比較的にハイレベルのセキュリティ処理操作、例えば、比較的に複雑な暗号化及び復号化、身分認証、デジタルサイン等を実現することができる。これにより、本発明におけるＲＦ識別装置が外界と情報やり取りを行うときにより高いセキュリティ性を取得することができる。具体的には、セキュリティ処理方法は、当業者が実際な必要に応じて任意なセキュリティ方式で実現されてもよい。ここでその説明を省略する。
【００５５】
記憶ユニット３０３は、前記記憶制御ユニット３０１に前記記憶制御ユニット３０１が実行する時に必要なデータを提供し、または相応の実行結果を記憶するために用いられる。
【００５６】
本実施例３の装置がそれと接続する携帯端末装置にデータアクセス機能を提供するように、前記記憶制御ユニット３０１は、さらに、前記共通記憶インターフェース１０１からのデータアクセス指令を受取って実行し、前記共通記憶インターフェース１０１からのセキュリティ処理指令を受取り、解析されたセキュリティ処理指令をセキュリティ処理ユニット３０４に送信してセキュリティ処理を行い、前記セキュリティ処理結果を、共通記憶インターフェース１０１を介して前記携帯端末装置にフィードバックするために用いられても良い。
【００５７】
図４は本発明の実施例３の構造の模式図である。当該実施例において、共通記憶インターフェース１０１及びコア制御ユニット１０２の作用は前記の説明と同じであり、ここでその説明を省略する。前記実施例と異なるのは、実施例３において、前記コア制御ユニット１０２は、記憶制御ユニット４０１と、記憶ユニット４０３と、ＲＦ制御ユニット４０２と、セキュリティ処理ユニット４０４とを含む。
【００５８】
前記記憶制御ユニット４０１は、前記共通記憶インターフェース１０１からのＲＦ識別指令を受取り、前記ＲＦ識別指令がＲＦ制御指令である場合に、前記ＲＦ制御指令を解析して前記セキュリティ処理ユニット４０４に送信し、前記ＲＦ識別指令がＲＦセキュリティ識別指令である場合に、前記ＲＦセキュリティ識別指令を解析してセキュリティ処理ユニット４０４に送信してセキュリティ処理を行うために用いられ、前記セキュリティ処理ユニット４０４からの前記セキュリティ処理結果を記憶ユニット４０３に送信し、または共通記憶インターフェース１０１を介して前記携帯端末装置に送信するために用いられる。
【００５９】
前記ＲＦ制御ユニット４０２は、前記セキュリティ処理ユニット４０４により転送されたＲＦ制御指令を実行し、前記ＲＦ制御指令が稼動状態切替指令である場合に、前記切替指令に従って前記装置の稼動状態を設定するために用いられ、前記ＲＦインターフェース１０３により送信された、予め設定された範囲内のその他のＲＦ識別装置からのＲＦセキュリティ識別指令を前記セキュリティ処理ユニット４０４に送信し、前記セキュリティ処理ユニット４０４により送信されたセキュリティ処理結果を、前記ＲＦインターフェース１０３を介して前記セキュリティ処理が対応する予め設定された範囲内のその他のＲＦ識別装置に送信するために用いられる。
【００６０】
前記セキュリティ処理ユニット４０４は、前記記憶制御ユニット４０１または前記ＲＦ制御ユニット４０２により送信されＲＦセキュリティ識別指令に対してセキュリティ処理を行い、セキュリティ処理結果を前記記憶制御ユニット４０１またはＲＦ制御ユニット４０２に送信し、前記記憶制御ユニット４０１により送信されたＲＦ制御指令を前記ＲＦ制御ユニット４０２に転送するために用いられる。
【００６１】
本実施例において、前記セキュリティ処理ユニット４０４は、前記ＲＦ制御ユニット４０２と直接に接続する。これにより、前記セキュリティ処理ユニット４０４はセキュリティ制御のコアモジュールとしてＲＦ制御ユニット４０２のデータの送受信を担当すると共に、データのセキュリティ操作を完成することができる。ＲＦタグ状態で、ＲＦインターフェース１０３からの操作命令を受取ると、前記セキュリティ処理ユニット４０４は受取った操作指令を直接に解析し、操作指令の相応データをＲＦ制御ユニット４０２でＲＦインターフェース１０３を経由して、相応的に当該操作指令を送信した周りのＲＦリーダ装置に返すことができる。ＲＦリーダ状態で稼動するときに、ＲＦインターフェース１０３を介してその他の端末装置上のＲＦ識別装置と情報のやり取りを行うことができ、やり取りの情報は、直接に、前記セキュリティ処理ユニット４０４において相互認証または暗号化や復号化操作を行うことができる。従って、前記セキュリティ処理ユニット４０４を直接に前記ＲＦ制御ユニット４０２と接続することにより、本実施例によって実現された装置はよりよい可制御性及びより早いデータ処理スピードを有する。
【００６２】
本実施例において、前記セキュリティ処理方法は、実施例２における方法と同じであるため、ここでその説明を省略する。
【００６３】
記憶ユニットは、前記記憶制御ユニットに前記記憶制御ユニットの実行時に必要なデータを提供し、または相応の実行結果を記憶するために用いられる。
【００６４】
本実施例３の装置はそれと接続する携帯端末装置にデータアクセスの機能を提供するように、前記記憶制御ユニット４０１は、さらに、前記共通記憶インターフェース１０１からのデータアクセス指令を受取って実行し、前記共通記憶インターフェース１０１からのセキュリティ処理指令を受取り、解析したセキュリティ処理指令をセキュリティ処理ユニット４０４に送信してセキュリティ処理を行い、前記セキュリティ処理結果を共通記憶インターフェース１０１を介して前記携帯端末装置にフィードバックするために用いられても良い。
【００６５】
本発明をさらに説明するために、以下、本発明の実施例２によって実現されたＲＦ識別装置を例として、本発明のＲＦ識別装置を利用して実現されたＲＦ識別方法に対して詳細に説明する。 
【００６６】
稼動状態がリーダ状態の場合のＲＦ識別は、以下のプロセスで実現可能である。
【００６７】
携帯端末装置は、稼動状態切替指令を、共通記憶インターフェース１０１を介して記憶制御ユニット３０１に送信する。
【００６８】
記憶制御ユニット３０１は前記稼動状態切替指令を解析し、ＲＦユニット３０２に稼動状態の切替を通知する。
【００６９】
前記稼動状態がＲＦリーダ状態である場合に、ＲＦ制御ユニット３０２は、ＲＦインターフェース１０３を介してブロートキャストの形式で現在位置の予め設定された範囲内にタグ状態にあるその他のＲＦ識別装置があるか否かを問い合わせ、ある場合に、検出したＲＦ識別装置はＲＦインターフェース１０３を介して少なくとも検出したＲＦ識別装置の認識番号を含む応答情報を返し、ＲＦインターフェース１０３は前記応答情報を記憶制御ユニット３０１に送信し、記憶制御ユニット３０１は前記応答情報を記憶ユニット３０３に記憶し、前記応答情報に応じて、ポーリングモード（ｐｏｌｌｉｎｇ  ｍｏｄｅ）に従って、すべての検出したＲＦ識別装置とデータリンクを確立する。
【００７０】
ＲＦインターフェース１０３を介して前記のタグ状態にあるＲＦ識別装置にセキュリティ処理情報を請求し、ＲＦインターフェース１０３を介して取得したセキュリティ処理情報を解析して記憶制御ユニット３０１に送信し、記憶制御ユニット３０１は前記セキュリティ処理情報をセキュリティ処理ユニット３０４に送信して相応のセキュリティ処理を行い、セキュリティ処理ユニット３０４は前記セキュリティ処理結果を、実際必要に応じて記憶制御ユニット３０１に送信し、記憶制御ユニット３０１は前記セキュリティ処理結果を記憶ユニット３０３に送信して記憶し、前記セキュリティ処理の結果は記憶ユニット３０３によって記憶された後に、実際必要に応じて共通記憶インターフェース１０１を通ってからモバイル端末装置に送信され、その後、ＲＦ制御ユニット３０２に送信され、ＲＦ制御ユニット３０２は前記セキュリティ処理結果をＲＦインターフェース１０３を介して前記のタグ状態にあるＲＦ識別装置に送信する。
【００７１】
前記のタグ状態にあるＲＦ識別装置とのセキュリティ処理操作が完成した後に、ＲＦインターフェース１０３を介してリンク切断請求が前記のタグ状態にあるＲＦ識別装置に送信される。
【００７２】
ＲＦ制御ユニット４０２は、ＲＦインターフェース１０３を介して、前記のタグ状態にあるＲＦ識別装置からの前記リンク切断請求に対する応答を受取った後に、前記のタグ状態にあるＲＦ識別装置とのリンク切断の操作を実行する。
【００７３】
前記モバイル端末装置からの共通記憶インターフェース１０１を経由する稼動状態切替指令を受取り、記憶制御ユニット４０１は前記切替指令を解析した後に、ＲＦ制御ユニット４０２に、稼動状態の切替を行い、ＲＦタグ状態に切替し、予め設定された範囲内にタグ状態にあるＲＦ識別装置からの問い合わせを待機するように通知する。
【００７４】
稼動状態がＲＦタグ状態である時のＲＦ識別は、以下のプロセスによって実現される。
【００７５】
ＲＦ識別装置は、モバイル端末装置に挿入された後に電源投入時の初期化を行い、この時、前記ＲＦ識別装置はデフォルト稼動状態にある。本実施例において、当該デフォルト稼動状態はＲＦタグ状態である。
【００７６】
ＲＦ識別装置は、ＲＦタグ状態において、予め設定された範囲内にＲＦリーダ状態にあるＲＦ識別装置からブロートキャストの方式で送信された問合せ命令に応答する。前記応答とは、ＲＦタグ状態にあるＲＦ識別装置が当該装置の認識番号を前記ＲＦリーダ状態にあるＲＦ識別装置に送信し、前記のＲＦタグ状態にあるＲＦ識別装置が前記ＲＦリーダ状態にあるＲＦ識別装置からの接続の確立を待機することである。
【００７７】
ＲＦタグ状態にあるＲＦ識別装置とＲＦリーダ状態にあるＲＦ識別装置とが接続確立された後に、前記ＲＦタグ状態にあるＲＦ識別装置は前記ＲＦリーダ状態にあるＲＦ識別装置にセキュリティ処理情報を送信し、前記のＲＦリーダ状態にあるＲＦ識別装置から送信されたセキュリティ処理の結果を受取る。前記のＲＦタグ状態にあるＲＦ識別装置は受信されたセキュリティ処理結果を記憶する。
【００７８】
ＲＦタグ状態にあるＲＦ識別装置は、セキュリティ処理の操作を実行した後に、前記ＲＦリーダ状態にあるＲＦ識別装置から接続の切断請求を送信することを待機し、請求に応じて接続を切断する。この時に、前記ＲＦタグ状態にあるＲＦ識別装置は、その他のＲＦリーダ状態にあるＲＦ識別装置からの問合せ命令を待機する。
【００７９】
以上の技術案は、ＲＦ制御ユニットを利用してＲＦリーダ状態とＲＦタグ状態との間の快速切替を制御することにより、同一のＲＦ識別装置がＲＦタグとＲＦリーダとの二種の機能を統合する。これにより、携帯装置端末と結合する時に、携帯装置端末のバードウェア構造を変更する必要がない、即ち、ＲＦ識別技術と既存の携帯端末装置との結合のコストの低減及びＲＦＩＤの普及に寄与する。さらに、本発明に基づいて、複数の当該ＲＦ識別装置を有する端末間の無線ネットワークを実現することもできる。従って、本発明は、より広い応用分野を有する。
【００８０】
要するに、以上はただ本発明の好適な実施例に過ぎず、本発明の保護範囲の限定ではない。本発明の精神及び原則を超えない限り、任意の修正、等価置換、改善などが本発明の保護範囲に含まれる。
【図１】
2012529090.tif 000003
【図２】
2012529090.tif 000004
【図３】
2012529090.tif 000005
【図４】
2012529090.tif 000006
【国際調査報告】
2012529090.tif 000007
2012529090.tif 000008
2012529090.tif 000009
2012529090.tif 000010